(57)【特許請求の範囲】
【請求項１】
加熱され熱供給媒体経路を通る熱供給媒体と熱中継媒体経路を通る熱中継媒体とで熱交換をする工程と、
前記熱供給媒体との間で熱交換が行われた前記熱中継媒体と熱回収媒体経路を通る熱回収媒体とで熱交換をして熱を回収する工程とを備えており、
前記熱供給媒体が、並列に設けられた異なる前記熱供給媒体経路を通るようにしてあり、前記熱供給媒体は、空気圧縮機の圧縮熱で加熱され、前記熱供給媒体経路のうち一方のエア経路を通る圧縮空気と、空気圧縮機の圧縮熱で加熱され、前記熱供給媒体経路のうち他方のオイル経路を通る潤滑油である
熱回収方法。
【請求項２】
前記熱中継媒体が不凍液又はその溶液である
請求項１記載の熱回収方法。
【請求項３】
熱供給媒体が通る熱供給媒体経路と、
前記熱供給媒体経路に対し接続が可能な熱供給媒体分岐経路と、
前記圧縮熱を回収する熱回収媒体が通る熱回収媒体経路と、
前記熱回収媒体経路と前記熱供給媒体分岐経路の間に設けてある熱中継媒体が通る熱中継媒体経路と、
前記熱供給媒体分岐経路を通る前記熱供給媒体と前記熱中継媒体経路を通る前記熱中継媒体とで熱交換をする熱供給媒体用熱交換器と、
前記熱中継媒体経路を通る前記熱中継媒体と前記熱回収媒体経路を通る前記熱回収媒体とで熱交換をする熱回収媒体用熱交換器と、を備えており、
前記熱供給媒体が、並列に設けられた異なる前記熱供給媒体経路を通るようにしてあり、前記熱供給媒体は、空気圧縮機の圧縮熱で加熱され、前記熱供給媒体経路のうち一方のエア経路を通る圧縮空気と、空気圧縮機の圧縮熱で加熱され、前記熱供給媒体経路のうち他方のオイル経路を通る潤滑油である
熱回収ユニット。
【請求項４】
前記熱中継媒体が不凍液又はその溶液である
請求項３記載の熱回収ユニット。
【請求項５】
空気圧縮機、前記空気圧縮機から熱供給媒体クーラーにつながり前記空気圧縮機へ戻る、並列に設けられた異なる熱供給媒体経路を有する圧縮機ユニットと、
前記熱供給媒体経路に対し接続される熱供給媒体分岐経路、熱回収媒体が通る熱回収媒体経路、前記熱回収媒体経路と前記熱供給媒体分岐経路の間に設けてある熱中継媒体が通る熱中継媒体経路、前記熱供給媒体分岐経路を通る熱供給媒体と前記熱中継媒体経路を通る熱中継媒体とで熱交換をする熱供給媒体用熱交換器、前記熱中継媒体経路を通る熱中継媒体と前記熱回収媒体経路を通る熱回収媒体とで熱交換をする熱回収媒体用熱交換器を有する熱回収ユニットと、
前記熱供給媒体が前記熱供給媒体経路の前記空気圧縮機から出て前記空気圧縮機に戻る流れと、前記熱供給媒体経路から前記熱供給媒体分岐経路と前記熱供給媒体用熱交換器を通って前記熱供給媒体経路を通り前記空気圧縮機へ戻る流れを切り替える経路切り替え手段とを備える
熱回収システム。
【請求項６】
前記熱供給媒体は、前記空気圧縮機の圧縮熱で加熱され、前記熱供給媒体経路のうち一方のエア経路を通る圧縮空気と、前記空気圧縮機の圧縮熱で加熱され、前記熱供給媒体経路のうち他方のオイル経路を通る潤滑油である
請求項５記載の熱回収システム。
【請求項７】
前記熱中継媒体が不凍液又はその溶液である
請求項５又は６記載の熱回収システム。
【請求項８】
空気圧縮機、前記空気圧縮機から潤滑油を含む圧縮空気が送給されるオイルセパレーター、前記オイルセパレーターからアフタークーラーへつながり外気へ導出される前記圧縮空気が通るエア経路、前記オイルセパレーターからオイルクーラーにつながり前記空気圧縮機へ戻る、前記潤滑油が通るオイル経路を有する圧縮機ユニットと、
前記オイル経路に対し接続されるオイル分岐経路、前記エア経路に対し接続されるエア分岐経路、不凍液が循環するように通される熱中継経路、水が通される熱回収媒体経路、前記オイル分岐経路と前記熱中継経路との間に設けられており、前記オイル分岐経路を通る潤滑油と前記熱中継経路を通る不凍液の熱交換をするオイル用熱交換器、前記エア分岐経路と前記熱中継経路との間に設けられており、前記エア分岐経路を通る圧縮空気と前記熱中継経路を通る不凍液の熱交換をするエア用熱交換器、前記熱中継経路と前記熱回収媒体経路との間に設けられており、前記熱中継経路を通る不凍液と前記熱回媒体収経路を通る水の熱交換をする水用熱交換器を備える熱回収ユニットと、
前記圧縮空気及び潤滑油が前記エア経路及びオイル経路の前記空気圧縮機から出て前記空気圧縮機に戻る流れと、前記エア経路及び前記オイル経路から前記エア分岐経路及び前記オイル分岐経路を通り前記エア経路及び前記オイル経路を通って前記空気圧縮機へ戻る流れを切り替える経路切り替え手段とを備える
熱回収システム。
【発明の詳細な説明】
【技術分野】
【０００１】
本発明は、熱回収方法、熱回収ユニット及びそれを備えた熱回収システムに関するものである。詳しくは、熱交換器に破損等の不具合が生じた場合でも、少なくとも熱回収側の熱回収媒体にオイル等の熱供給媒体が混入することを抑止して、飲用等の生活用水とされ得る熱回収媒体の安全性を担保できるものに関する。
【背景技術】
【０００２】
工場等では、例えば各種製造機械等の駆動源として使用するために、空気圧縮機（コンプレッサー）で高圧の圧縮空気がつくられている。空気圧縮機で空気を圧縮すると、空気の圧力が上昇すると共に、圧縮熱が生じて温度も上昇する。そして、工場内の省エネに寄与するために、この圧縮熱を回収して利用することは従前より行われており、圧縮熱を回収することができるものとしては、例えば特許文献１記載の熱回収システムがある。
【０００３】
特許文献１の熱回収システムは、圧縮機からの圧縮空気を冷却する第１エアクーラーと、圧縮機の潤滑油を冷却する第１オイルクーラーと、第１オイルクーラーへの送油路に設けられ、第１オイルクーラーへ送られる潤滑油の熱で温水を製造する熱回収用熱交換器としての第２オイルクーラーと、第１エアクーラーへの送気路に設けられ、第１エアクーラーへ送られる圧縮空気の熱で温水を製造する熱回収用熱交換器としての第２エアクーラーとを備えている。
【０００４】
そして、第２エアクーラーと第２オイルクーラーとは、各クーラー用の冷却水とは異なる水を通すよう配置され、既存の圧縮機冷却系統をそのまま残しつつ、圧縮熱を回収できるものである。
【先行技術文献】
【特許文献】
【０００５】
【特許文献１】特許第５６３２７００号公報
【発明の概要】
【発明が解決しようとする課題】
【０００６】
しかしながら、特許文献１に開示されているコンプレッサーの熱回収システムには、次のような課題があった。すなわち、上記のように、第２エアクーラーと第２オイルクーラーとは、各クーラー用の冷却水とは異なる水、例えば、飲用等の生活用水として利用可能な水を通すよう配置されている。
【０００７】
このため、仮に、熱交換器である第２オイルクーラーに破損等の不具合が生じた場合には、熱回収側の水（給湯用の温水等）にオイルが混入するおそれがあり、飲用等の生活用水として利用される可能性がある熱回収側の水の安全性を担保できない。また、その不具合の復旧には、オイルで汚染された配管の分解、徹底した洗浄、組み立て等の煩雑な作業が必要になり、多大な手間とコストがかかる。
【０００８】
なお、熱回収側で熱を回収する対象とする目的でオイルが利用されることがない、いわゆるオイルフリーのコンプレッサーにおいては、高温となる圧縮空気から熱を回収するようになっている。この圧縮空気には通常は油分が含まれないが、コンプレッサーの不具合等により、例えば油煙として混入する可能性がある。
【０００９】
本発明は、以上の点を鑑みて創案されたものであり、熱交換器に破損等の不具合が生じた場合でも、少なくとも熱回収媒体にオイル等の熱供給媒体が混入することを抑止して、飲用等の生活用水とされ得る熱回収媒体の安全性を担保できる熱回収方法、熱回収ユニット及びそれを備えた熱回収システムを提供することを目的とする。
【課題を解決するための手段】
【００１０】
（１）上記の目的を達成するために本発明に係る熱回収方法は、加熱され熱供給媒体経路を通る熱供給媒体と熱中継媒体経路を通る熱中継媒体とで熱交換をする工程と、前記熱供給媒体との間で熱交換が行われた前記熱中継媒体と熱回収媒体経路を通る熱回収媒体とで熱交換をして熱を回収する工程とを備える。
【００１１】
本発明の熱回収方法によれば、加熱され熱供給媒体経路を通る熱供給媒体と熱中継媒体経路を通る熱中継媒体とで熱交換をすることにより、熱供給媒体経路内の熱供給媒体の熱が熱中継媒体経路内の熱中継媒体に移動し、熱中継媒体が加温（又は加熱）される。
【００１２】
そして、加温された熱中継媒体と熱回収媒体経路を通る熱回収媒体とで熱交換をすることにより、熱中継媒体の熱が熱回収媒体経路内の熱回収媒体に移動し、熱回収媒体が加温（又は加熱）される。これにより、熱供給媒体の熱を熱回収媒体で回収することができる。
【００１３】
また、この熱回収方法においては、熱供給媒体経路内の熱供給媒体と熱回収媒体経路の熱回収媒体の間に、熱中継媒体経路内の熱中継媒体が介在しており、熱供給媒体が熱回収媒体へ接触等の直接的な影響を及ぼすことはない。これにより、仮に、熱供給媒体経路と熱中継媒体経路、或いは熱交換器に破損等の不具合が生じて熱供給媒体が漏出したような場合でも、熱供給媒体は熱中継媒体経路までに止まり、熱回収媒体に混入することを抑止して、飲用等の生活用水とされ得る熱回収媒体の安全性を担保できる。
【００１４】
（２）本発明の熱回収方法は、前記熱供給媒体が空気圧縮機の圧縮熱で加熱され、前記熱供給媒体が、並列に設けられた異なる前記熱供給媒体経路を通る圧縮空気と潤滑油である構成とすることができる。
【００１５】
この場合は、空気圧縮機の圧縮熱で加熱され、並列に設けられた異なる熱供給媒体経路を通る熱供給媒体である圧縮空気及び潤滑油と熱中継媒体経路を通る熱中継媒体とで熱交換をすることにより、各熱供給媒体経路内の圧縮空気及び潤滑油の熱が熱中継媒体経路内の熱中継媒体に移動し、熱中継媒体が加温（又は加熱）される。
【００１６】
そして、加温された熱中継媒体と熱回収媒体経路を通る熱回収媒体とで熱交換をすることにより、熱中継媒体の熱が熱回収媒体経路内の熱回収媒体に移動し、熱回収媒体が加温（又は加熱）される。これにより、圧縮空気及び潤滑油の熱を熱回収媒体で回収することができる。
【００１７】
また、この熱回収方法においては、各熱供給媒体経路内の圧縮空気及び潤滑油と熱回収媒体経路内の熱回収媒体の間には、熱中継媒体経路内の熱中継媒体が介在しており、圧縮空気及び潤滑油が熱回収媒体へ接触等の直接的な影響を及ぼすことはない。これにより、仮に、各熱供給媒体経路と熱中継媒体経路、或いは熱交換器に破損等の不具合が生じて潤滑油が漏出したような場合でも、潤滑油は熱中継媒体経路までに止まり、熱回収媒体に混入することを抑止できる。
【００１８】
（３）本発明の熱回収方法は、前記熱中継媒体が不凍液又はその溶液である構成とすることができる。
【００１９】
この場合は、不凍液又はその溶液が通る熱中継媒体経路の腐食防止が図れると共に、ポンプの作動に悪影響が出にくい。つまり、不凍液には、防食剤と消泡剤が含まれており、その作用によって上記効果を奏する。また、不凍液の沸点が水に比べて高いことにより、高温になっても沸騰しにくいこととも相まって、気泡が更に発生しにくくなり、特にポンプの経年使用時における気泡の破裂に起因するインペラーの破損等を抑制できる。
【００２０】
（４）上記の目的を達成するために本発明に係る熱回収ユニットは、空気圧縮機による圧縮熱で加熱された熱供給媒体が通る熱供給媒体経路に対し接続が可能な熱供給媒体分岐経路と、前記圧縮熱を回収する熱回収媒体が通る熱回収媒体経路と、前記熱回収媒体経路と前記熱供給媒体分岐経路の間に設けてある熱中継媒体が通る熱中継媒体経路と、前記熱供給媒体分岐経路を通る前記熱供給媒体と前記熱中継媒体経路を通る前記熱中継媒体とで熱交換をする熱供給媒体用熱交換器と、前記熱中継媒体経路を通る前記熱中継媒体と前記熱回収媒体経路を通る前記熱回収媒体とで熱交換をする熱回収媒体用熱交換器とを備える。
【００２１】
本発明の熱回収ユニットによれば、熱供給媒体分岐経路を熱供給媒体経路に対し接続することにより、空気圧縮機による圧縮熱で加熱された熱供給媒体を、熱供給媒体経路から熱供給媒体分岐経路へ分岐させて通すことができる。
【００２２】
そして、熱供給媒体分岐経路を通る熱供給媒体と、熱中継媒体経路を通る熱中継媒体とで、熱供給媒体用熱交換器によって熱交換をすることにより、熱供給媒体経路内の熱供給媒体の熱が熱中継媒体経路内の熱中継媒体に移動し、熱中継媒体が加温（又は加熱）される。
【００２３】
更に、熱中継媒体経路を通る熱中継媒体と、圧縮熱を回収する熱回収媒体が通る熱回収媒体経路を通る熱回収媒体とで、熱回収媒体用熱交換器によって熱交換をすることにより、熱中継媒体の熱が熱回収媒体経路内の熱回収媒体に移動し、熱回収媒体が加温（又は加熱）される。これにより、熱供給媒体の熱を熱回収媒体で回収することができる。
【００２４】
また、この熱回収ユニットにおいては、熱供給媒体経路内の熱供給媒体と熱回収媒体経路内の熱回収媒体の間に、熱中継媒体経路内の熱中継媒体が介在しており、熱供給媒体から熱回収媒体へ接触等の直接的な影響を及ぼすことはない。
【００２５】
これにより、仮に、熱供給媒体経路と熱中継媒体経路、或いは熱交換器に破損等の不具合が生じて熱供給媒体が漏出したような場合でも、熱供給媒体は熱中継媒体経路までに止まり、熱回収媒体に混入することを抑止して、飲用等の生活用水とされ得る熱回収媒体の安全性を担保できる。
【００２６】
（５）本発明の熱回収ユニットは、前記熱供給媒体が圧縮空気と潤滑油であり、前記圧縮空気と前記潤滑油は、並列に設けられた異なる前記熱供給媒体経路をそれぞれ通る構成とすることができる。
【００２７】
この場合は、熱供給媒体分岐経路を通る熱供給媒体である圧縮空気及び潤滑油と、熱中継媒体経路を通る熱中継媒体とで、熱供給媒体用熱交換器によって熱交換をすることにより、各熱供給媒体経路内の圧縮空気及び潤滑油の熱が熱中継媒体経路内の熱中継媒体に移動し、熱中継媒体が加温（又は加熱）される。
【００２８】
更に、熱中継媒体経路を通る熱中継媒体と、圧縮熱を回収する熱回収媒体が通る熱回収媒体経路を通る熱回収媒体とで、熱回収媒体用熱交換器によって熱交換をすることにより、熱中継媒体の熱が熱回収媒体経路内の熱回収媒体に移動し、熱回収媒体が加温（又は加熱）される。これにより、圧縮空気及び潤滑油の熱を熱回収媒体で回収することができる。
【００２９】
また、この熱回収ユニットにおいては、熱供給媒体経路内の圧縮空気及び潤滑油と熱回収媒体経路の熱回収媒体の間に、熱中継媒体経路内の熱中継媒体が介在しており、各熱供給媒体経路内の圧縮空気及び潤滑油から熱回収媒体へ接触等の直接的な影響を及ぼすことはない。
【００３０】
これにより、仮に、各熱供給媒体経路と熱中継媒体経路、或いは熱交換器に破損等の不具合が生じて潤滑油が漏出したような場合でも、潤滑油は熱中継媒体経路までに止まり、熱回収媒体に混入することを抑止できる。
【００３１】
（６）本発明の熱回収ユニットは、前記熱中継媒体が不凍液又はその溶液である構成とすることができる。
【００３２】
この場合は、不凍液又はその溶液が通る熱中継媒体経路の腐食防止が図れると共に、ポンプの作動に悪影響が出にくい。つまり、不凍液には、防食剤と消泡剤が含まれており、その作用によって上記効果を奏する。また、不凍液の沸点が水に比べて高いことにより、高温になっても沸騰しにくいこととも相まって、気泡が更に発生しにくくなり、特にポンプの経年使用時における気泡の破裂に起因するインペラーの破損等を抑制できる。
【００３３】
（７）上記の目的を達成するために本発明に係る熱回収システムは、空気圧縮機、前記空気圧縮機から熱供給媒体クーラーにつながり前記空気圧縮機へ戻る熱供給媒体経路を有する圧縮機ユニットと、前記熱供給媒体経路に対し接続される熱供給媒体分岐経路、熱回収媒体が通る熱回収媒体経路、前記熱回収媒体経路と前記熱供給媒体分岐経路の間に設けてある熱中継媒体が通る熱中継媒体経路、前記熱供給媒体分岐経路を通る熱供給媒体と前記熱中継媒体経路を通る熱中継媒体とで熱交換をする熱供給媒体用熱交換器、前記熱中継媒体経路を通る熱中継媒体と前記熱回収媒体経路を通る熱回収媒体とで熱交換をする熱回収媒体用熱交換器を有する熱回収ユニットと、前記熱供給媒体が前記熱供給媒体経路の前記空気圧縮機から出て前記空気圧縮機に戻る流れと、前記熱供給媒体経路から前記熱供給媒体分岐経路と前記熱供給媒体用熱交換器を通って前記熱供給媒体経路を通り前記空気圧縮機へ戻る流れを切り替える経路切り替え手段と、を備える。
【００３４】
本発明の熱回収システムによれば、圧縮機ユニットは、空気圧縮機で空気を圧縮する際に生じる圧縮熱で加熱された熱供給媒体を熱供給媒体経路によって熱供給媒体クーラーへ送って冷却し、冷却した熱供給媒体を空気圧縮機へ戻すことを繰り返し行う。
【００３５】
そして、熱回収ユニットは、熱供給媒体分岐経路を熱供給媒体経路に対し接続することにより、空気圧縮機による圧縮熱で加熱された熱供給媒体を、熱供給媒体経路から熱供給媒体分岐経路へ分岐させて通すことができる。
【００３６】
経路切り替え手段により、熱供給媒体が熱供給媒体経路の空気圧縮機から出て空気圧縮機に戻る流れから、熱供給媒体経路から熱供給媒体分岐経路と前記熱供給媒体用熱交換器を通って熱供給媒体経路を通り空気圧縮機へ戻る流れを切り替える。なお、経路切り替え手段は、反対に熱供給媒体が熱供給媒体経路の空気圧縮機から出て空気圧縮機に戻る流れに切り替えることもできる。
【００３７】
熱供給媒体分岐経路を通る熱供給媒体と、熱中継媒体経路を通る熱中継媒体とで、熱供給媒体用熱交換器によって熱交換をすることにより、熱供給媒体経路内の熱供給媒体の熱が熱中継媒体経路内の熱中継媒体に移動し、熱中継媒体が加温（又は加熱）される。
【００３８】
更に、熱中継媒体経路を通る熱中継媒体と、熱回収媒体経路を通る、圧縮熱を回収する熱回収媒体とで、熱回収媒体用熱交換器によって熱交換をすることにより、熱中継媒体の熱が熱回収媒体経路内の熱回収媒体に移動し、熱回収媒体が加温（又は加熱）される。これにより、熱供給媒体の熱を熱回収媒体で回収することができる。
【００３９】
また、この熱回収システムにおいては、熱供給媒体経路内の熱供給媒体と熱回収媒体経路内の熱回収媒体の間に、熱中継媒体経路内の熱中継媒体が介在しており、熱供給媒体から熱回収媒体へ接触等の直接的な影響を及ぼすことはない。これにより、仮に、熱供給媒体経路と熱中継媒体経路、或いは熱交換器に破損等の不具合が生じて熱供給媒体が漏出したような場合でも、熱供給媒体は熱中継媒体経路までに止まり、飲用等の生活用水とされ得る熱回収媒体の安全性を担保できる。
【００４０】
（８）本発明の熱回収システムは、前記熱供給媒体が圧縮空気と潤滑油であり、前記圧縮空気と前記潤滑油は、並列に設けられた異なる前記熱供給媒体経路及び並列に設けられた異なる前記熱供給媒体経路をそれぞれ通る構成とすることができる。
【００４１】
この場合は、圧縮機ユニットは、空気圧縮機で空気を圧縮する際に生じる圧縮熱で加熱された熱供給媒体である圧縮空気及び潤滑油を各熱供給媒体経路によって熱供給媒体クーラーへ送って冷却し、冷却した潤滑油を空気圧縮機へ戻すことを繰り返し行う。
【００４２】
そして、熱回収ユニットは、各熱供給媒体分岐経路を熱供給媒体経路に対し接続することにより、空気圧縮機による圧縮熱で加熱された圧縮空気及び潤滑油を、熱供給媒体経路から各熱供給媒体分岐経路へ分岐させて通すことができる。
【００４３】
経路切り替え手段により、圧縮空気及び潤滑油が熱供給媒体経路の空気圧縮機から出て空気圧縮機に戻る流れから、各熱供給媒体経路から熱供給媒体分岐経路と前記熱供給媒体用熱交換器を通って熱供給媒体経路を通り空気圧縮機へ戻る流れを切り替える。なお、経路切り替え手段は、これとは反対に圧縮空気及び潤滑油が熱供給媒体経路の空気圧縮機から出て空気圧縮機に戻る流れに切り替えることもできる。
【００４４】
熱供給媒体分岐経路を通る熱供給媒体である圧縮空気及び潤滑油と、熱中継媒体経路を通る熱中継媒体とで、熱供給媒体用熱交換器によって熱交換をすることにより、各熱供給媒体経路内の圧縮空気及び潤滑油の熱が熱中継媒体経路内の熱中継媒体に移動し、熱中継媒体が加温（又は加熱）される。
【００４５】
更に、熱中継媒体経路を通る熱中継媒体と、圧縮熱を回収する熱回収媒体が通る熱回収媒体経路を通る熱回収媒体とで、熱回収媒体用熱交換器によって熱交換をすることにより、熱中継媒体の熱が熱回収媒体経路内の熱回収媒体に移動し、熱回収媒体が加温（又は加熱）される。これにより、圧縮空気及び潤滑油の熱を熱回収媒体で回収することができる。
【００４６】
また、この熱回収システムにおいては、熱供給媒体経路内の圧縮空気及び潤滑油と熱回収媒体経路の熱回収媒体の間に、熱中継媒体経路内の熱中継媒体が介在しており、各熱供給媒体経路内の圧縮空気及び潤滑油から熱回収媒体へ接触等の直接的な影響を及ぼすことはない。これにより、仮に、各熱供給媒体経路と熱中継媒体経路、或いは熱交換器に破損等の不具合が生じて潤滑油が漏出したような場合でも、潤滑油は熱中継媒体経路までに止まり、熱回収媒体に混入することを抑止できる。
【００４７】
（９）本発明の熱回収システムは、前記熱中継媒体が不凍液又はその溶液である構成とすることができる。
【００４８】
この場合は、不凍液又はその溶液が通る熱中継媒体経路の腐食防止が図れると共に、ポンプの作動に悪影響が出にくい。つまり、不凍液には、防食剤と消泡剤が含まれており、その作用によって上記効果を奏する。また、不凍液の沸点が水に比べて高いことにより、高温になっても沸騰しにくいこととも相まって、気泡が更に発生しにくくなり、特にポンプの経年使用時における気泡の破裂に起因するインペラーの破損等を抑制できる。
【００４９】
（１０）上記の目的を達成するために本発明に係る熱回収システムは、空気圧縮機、前記空気圧縮機から潤滑油を含む圧縮空気が送給されるオイルセパレーター、前記オイルセパレーターからアフタークーラーへつながり外気へ導出される前記圧縮空気が通るエア経路、前記オイルセパレーターからオイルクーラーにつながり前記空気圧縮機へ戻る、前記潤滑油が通るオイル経路を有する圧縮機ユニットと、前記オイル経路に対し接続されるオイル分岐経路、前記エア経路に対し接続されるエア分岐経路、不凍液が循環するように通される熱中継経路、水が通される熱回収媒体経路、前記オイル分岐経路と前記熱中継経路との間に設けられており、前記オイル分岐経路を通る潤滑油と前記熱中継経路を通る不凍液の熱交換をするオイル用熱交換器、前記エア分岐経路と前記熱中継経路との間に設けられており、前記エア分岐経路を通る圧縮空気と前記熱中継経路を通る不凍液の熱交換をするエア用熱交換器、前記熱中継経路と前記熱回収媒体経路との間に設けられており、前記熱中継経路を通る不凍液と前記熱回媒体収経路を通る水の熱交換をする水用熱交換器を備える熱回収ユニットと前記圧縮空気及び潤滑油が前記エア経路及びオイル経路の前記空気圧縮機から出て前記空気圧縮機に戻る流れと、前記エア経路及び前記オイル経路から前記エア分岐経路及び前記オイル分岐経路を通り前記エア経路及び前記オイル経路を通って前記空気圧縮機へ戻る流れを切り替える経路切り替え手段とを備える。
【００５０】
本発明の熱回収システムによれば、圧縮機ユニットは、空気圧縮機で空気を圧縮する際に生じる圧縮熱で加熱された潤滑油を含む圧縮空気をオイルセパレーターへ送る。潤滑油を含む圧縮空気はオイルセパレーターにおいて空気分と潤滑油分に分離される。
【００５１】
空気分と潤滑油分は、オイルセパレーターからエア経路とオイル経路によってアフタークーラーとオイルクーラーへ送られて冷却され、冷却された潤滑油分を空気圧縮機へ戻すことが繰り返し行なわれる。
【００５２】
そして、熱回収ユニットは、エア分岐経路をエア経路に、オイル分岐経路をオイル経路に対し接続することにより、空気圧縮機による圧縮熱で加熱された圧縮空気の空気分と潤滑油分を、エア経路とオイル経路からそれぞれエア分岐経路とオイル分岐経路へ分岐させて通すことができる。
【００５３】
経路切り替え手段により、空気分と潤滑油分が空気圧縮機から出て、潤滑油は空気圧縮機に戻る流れから、エア経路とオイル経路からエア分岐経路とオイル分岐経路を通ってエア用熱交換器とオイル用熱交換器で熱交換し、潤滑油分はオイル経路を通り空気圧縮機へ戻る流れを切り替える。なお、経路切り替え手段は、この切り替えを反対に行うこともできる。
【００５４】
エア分岐経路とオイル分岐経路を通る空気分と潤滑油分と、熱中継媒体経路を通る不凍液とで、エア用熱交換器とオイル用熱交換器によって熱交換をすることにより、空気分と潤滑油分の熱が熱中継媒体経路内の不凍液に移動し、不凍液が加温（又は加熱）される。
【００５５】
更に、熱中継媒体経路を通る不凍液と、熱回収媒体経路を通る、圧縮熱を回収する水とで、熱回収媒体用熱交換器によって熱交換をすることにより、不凍液の熱が熱回収媒体経路内の水に移動し、水が加温（又は加熱）される。これにより、空気分と潤滑油分の熱を水で回収することができる。
【００５６】
また、この熱回収システムにおいては、空気分と潤滑油分と熱回収媒体経路内の水との間に、熱中継媒体経路内の不凍液が介在しており、空気分と潤滑油分から水へ接触等の直接的な影響を及ぼすことはない。これにより、仮に、エア経路やオイル経路と熱中継媒体経路、或いはオイル用熱交換器に破損等の不具合が生じて潤滑油分が漏出したような場合でも、潤滑油分は熱中継媒体経路までに止まり、水に混入することを抑止して、飲用等の生活用水とされ得る水の安全性を担保できる。
【発明の効果】
【００５７】
本発明は、熱交換器に破損等の不具合が生じた場合でも、少なくとも熱回収媒体にオイル等の熱供給媒体が混入することを抑止して、飲用等の生活用水とされ得る熱回収媒体の安全性を担保できる熱回収方法、熱回収ユニット及びそれを備えた熱回収システムを提供することができる。
【図面の簡単な説明】
【００５８】
【図１】本発明に係る熱回収システムの第１実施の形態を示し、圧縮機ユニットと熱回収ユニットを運転している状態の説明図である。
【図２】本発明に係る熱回収システムの第１実施の形態を示し、圧縮機ユニットを運転し、熱回収ユニットを停止している状態の説明図である。
【図３】本発明に係る熱回収システムの第２実施の形態を示し、圧縮機ユニットと熱回収ユニットを運転している状態の説明図である。
【図４】本発明に係る熱回収システムの第２実施の形態を示し、圧縮機ユニットを運転し、熱回収ユニットを停止している状態の説明図である。
【発明を実施するための形態】
【００５９】
図１及び図２を参照して、本発明の実施の形態を更に詳細に説明する。
本発明に係る熱回収システムの第１実施の形態である熱回収システムのＳ１は、油潤滑式の圧縮機ユニット１と熱回収ユニット２を備えている。圧縮機ユニット１は、空気圧縮機１０を有している。空気圧縮機１０は、圧縮空気から空気分と潤滑油分を分離するオイルセパレーター１１に接続されている。
【００６０】
オイルセパレーター１１には、所定の温度の圧縮空気が通るエア経路１２が設けられている。エア経路１２は、オイルセパレーター１１の上部の気層を出て、エアクーラーであるアフタークーラー１３を通り、外気へ放出される経路となっている。
【００６１】
エア経路１２において、オイルセパレーター１１からアフタークーラー１３に向かう経路の所定の箇所には、後述する熱回収ユニット２のエア分岐経路２２を直列に接続する接続部（符号省略）が設けられている。その接続部の間の経路には、手動弁２１７が設けられている。
【００６２】
また、オイルセパレーター１１には、所定の温度の潤滑油が通るオイル経路１４が接続されている。オイル経路１４は、オイルセパレーター１１の下部の液層を出て、上記アフタークーラー１３と隣接するオイルクーラー１５を通り、空気圧縮機１０に戻る経路となっている。
【００６３】
アフタークーラー１３とオイルクーラー１５では、ファン１６による流動空気との熱交換によって、圧縮空気と潤滑油が冷却される。所定の温度に冷却された空気は、上記したように外気へ放出され、熱回収システムＳ１の設置場所の雰囲気を加温することができる。また、所定の温度に冷却された潤滑油は、上記したように空気圧縮機１０に戻る。
【００６４】
オイル経路１４においてオイルセパレーター１１からオイルクーラー１５に向かう経路のオイルセパレーター１１寄りには温度調節弁１００が設けられ、途中の所定の箇所には電磁弁１０１が設けてある。また、オイルクーラー１５から空気圧縮機１０に戻る経路の所定の箇所には、電磁弁１０２が設けてある。
【００６５】
エア経路１２とオイル経路１４には、熱回収ユニット２が接続されている。また、熱回収ユニット２は、エア経路１２とオイル経路１４に対し着脱可能に設けることもできる。なお、特許請求の範囲の請求項７、１０において、「接続される」の記載は、接続されていることと接続可能であることの両方を含む意味で使用している。熱回収ユニット２は、エア経路１２に接続してあるエア分岐経路２２と、オイル経路１４に接続してあるオイル分岐経路２０を有している。
【００６６】
エア分岐経路２２は、上記したようにエア経路１２に対して、手動弁２１７を挟むように直列に接続されている。エア分岐経路２２の先端部には、エア分岐経路２２を通る圧縮空気と、後述する熱中継媒体経路２６を通る不凍液との間で熱交換をするためのエア用熱交換器２３が設けてある。
【００６７】
エア用熱交換器２３は、上記アフタークーラー１３より能力（熱交換量）を大きくし、配管径を大きく設定することもできる。この場合は、運転時のエア用熱交換器２３の圧力損失を抑制して、いわゆる低圧損の状態となり、圧縮空気の圧力低下を図ると共に、圧縮空気内でのドレン（分離した水分）の除去、又は発生を抑止することができる。
【００６８】
エア分岐経路２２において、エア用熱交換器２３に向かう往路には、手動弁２１５が設けてあり、復路には、手動弁２１６が設けてある。これによれば、上記手動弁２１７を閉じ、手動弁２１５、２１６を開けることにより、エア経路１２を通る圧縮空気は、エア経路１２から分岐して、エア用熱交換器２３を通り、再びエア経路１２に合流する。
【００６９】
また、オイル分岐経路２０は、オイル経路１４に対して直列に接続されている。オイル分岐経路２０の先端部には、オイル分岐経路２０を通る潤滑油と、後述する熱中継媒体経路２６を通る不凍液との間で熱交換をするためのオイル用熱交換器２１が設けてある。なお、本実施の形態では、オイル用熱交換器２１と上記オイルクーラー１５の能力（熱交換量）を同じに設定しており、運転時において、空気圧縮機１０に戻る潤滑油の温度を例えば所定の５０℃で安定させやすくしている。
【００７０】
オイル分岐経路２０において、オイル用熱交換器２１に向かう往路には、上流側から順に手動弁２１０、２１１が設けてあり、復路には、上流側から順に手動弁２１２、温度センサ２０５、電磁弁２１４が設けてある。
【００７１】
更に、往路の手動弁２１１より上流側と、復路の手動弁２１２より下流側を接続する経路（符号省略）には、手動弁２１３が設けてある。なお、上記電磁弁１０１、１０２、及び電磁弁２１１、２１４は、経路切り替え手段を構成する。
【００７２】
エア用熱交換器２３とオイル用熱交換器２１には、熱中継媒体である不凍液を循環させる循環経路（ループ経路）である熱中継媒体経路２６が通っている。更に、熱中継媒体経路２６の経路中には、ポンプ２７が設けられると共に、熱中継媒体経路２６を通る不凍液と、後述する熱回収媒体経路２４を通る水との間で熱交換をするための熱回収媒体用熱交換器２５が設けてある。
【００７３】
本実施の形態では、熱中継媒体として不凍液を採用している。不凍液には、防食剤と消泡剤が含まれており、不凍液が通る熱中継媒体経路２６、或いは各熱交換器２１、２３、２５の腐食防止を図ることができる。また、熱中継媒体経路２６内にスケールが発生しにくく、経路のクリーンアップに要する時間とコストを軽減できる。
【００７４】
また、不凍液の沸点が比較的高いことにより、高温になっても水と比べて沸騰しにくいこととも相まって、気泡が更に発生しにくくなり、特にポンプの経年使用時における気泡の破裂に起因するインペラーの破損等を抑制できる。また、不凍液の流量が少なくなることで熱交換の効率が悪くなる不具合も生じにくい。
【００７５】
また、不凍液は、水等の希釈剤で適宜濃度に希釈して使用することもできる。例えば、水で希釈した不凍液は、その濃度によって比熱等の性質が変化し、上記各効果にも影響が出る。一般には、不凍液の濃度が製品に近いほど、効果が安定する。更には、不凍液の濃度が製品に近いほど、比熱が大きくなって温度の上昇、降下がしにくく、濃度が薄くなるほど、比熱が小さくなり、温度の上昇、下降がしやすい傾向がある。
【００７６】
熱中継媒体としては、上記理由から不凍液が好ましいが、不凍液に限定するものではない。例えば、熱中継媒体経路２６や各熱交換器２１、２３、２５の必要部分を防食性の高い素材でつくることにより、例えば消泡剤を配合した水等、他の媒体を採用することも可能である。
【００７７】
熱中継媒体経路２６において、オイル用熱交換器２１の下流側には、出口側温度センサ２０１が設けてあり、熱回収媒体用熱交換器２５の下流側には、出口側温度センサ２０２が設けてあり、エア用熱交換器２３の下流側には、出口側温度センサ２００が設けてある。
【００７８】
熱回収媒体経路２４は、熱回収媒体用熱交換器２５を通る。熱回収媒体経路２４において、熱回収媒体用熱交換器２５に向かう往路には、上流側から順に電磁弁２１８、入り口側温度センサ２０３が設けてある。また、復路には、上流側から順に出口側温度センサ２０４、電磁弁２１９、流水感知装置２１９ａが設けてある。更に、往路の電磁弁２１８より上流側と、復路の電磁弁２１９より下流側を接続する経路（符号省略）には、電磁弁２２０が設けてある。
【００７９】
上記構造の熱回収システムＳ１は、通常は圧縮機ユニット１と熱回収ユニット２を同時に運転して、圧縮機ユニット１で生じる熱（圧縮熱）の一部を熱回収ユニット２で回収して、その利用を図っている。しかし、例えば熱回収ユニット２の故障やメンテナンスの際には、圧縮空気を使用する各種製造機械等の稼働に支障を来さないように、圧縮機ユニット１のみを運転する場合がある。以下、これらケースごとに熱回収システムＳ１の作用を説明する。
【００８０】
（作用）
＜圧縮機ユニット１と熱回収ユニット２の同時運転＞
図１を参照する。
（１）空気圧縮機１０の電源を入れ、圧縮機ユニット１の運転を開始すると、連動して熱回収ユニット２のポンプ２７が運転を開始する。
【００８１】
同時運転の場合には、エア経路１２の手動弁２１７がＣＬＯＳＥ、エア分岐経路２２の手動弁２１５、２１６がＯＰＥＮに設定される。また、オイル経路１４の温度調節弁１００がＯＰＥＮ、電磁弁１０１、１０２がＣＬＯＳＥ、オイル分岐経路２０の電磁弁２１０、手動弁２１１、２１２、電磁弁２１４がＯＰＥＮ、電磁弁２２０と手動弁２１３がＣＬＯＳＥに設定される。
【００８２】
また、上記手動弁２１１、２１２、２１３、２１５、２１６、２１７は、例えば熱回収ユニット２の不具合が生じた場合、或いは各電磁弁に不具合が生じた場合等に、手動操作で経路を適宜開閉してメンテナンスをする際にも有用である。
【００８３】
温度調節弁１００は、オイルセパレーター１１内の潤滑油の温度が所定の温度（例えば７５℃）に達するとＯＰＥＮになるようにしてある。温度調節弁１００がＯＰＥＮになるときの潤滑油の温度は、７５℃に限定されるものではなく、適宜温度に設定することができる。なお、所定の温度に達しない低温の潤滑油は、空気圧縮機１０に戻るようになっている。
【００８４】
また、熱回収媒体経路２４の電磁弁２１８、２１９は、電磁弁２１９の下流側に設けた流水感知装置２１９ａで温水の使用を感知することでＯＰＥＮになり、後述するように熱回収媒体用熱交換器２５で熱交換をして温水が生成される。
【００８５】
（２）空気圧縮機１０の運転により、潤滑油を含む所定の圧力の圧縮空気が生成され、この圧縮空気がオイルセパレーター１１へ送られる。そして、圧縮空気は、オイルセパレーター１１内において、空気分と潤滑油分に分離される。
【００８６】
（３）オイルセパレーター１１の気層から、潤滑油分が分離された空気分が、エア経路１２を通ってエア分岐経路２２に送られ、エア用熱交換器２３によって熱中継媒体経路２６を通る不凍液と熱交換をして、更に圧縮機ユニット１のアフタークーラー１３を通り、更に冷却されて外気へ放出される。
【００８７】
（４）一方、オイルセパレーター１１で分離された潤滑油分は、圧縮機ユニット１の制御により、７５℃に達するとオイルセパレーター１１の下部の液層を出て、オイル経路１４から熱回収ユニット２のオイル分岐経路２０に送られる。そして、潤滑油は、オイル用熱交換器２１によって、熱中継媒体経路２６を通る不凍液と熱交換をして、空気圧縮機１０に戻り、潤滑油として使用される。潤滑油は、上記したような経路で循環する。
【００８８】
また、この時、潤滑油は圧縮機ユニット１内のオイルクーラー１５には流れず、熱回収ユニット２のみに流れるように、自動で上記のように各バルブが設定される。なお、この各電磁弁の作動温度の設定（切り替え）は、熱中継媒体経路２６の出口側温度センサ２０１、及びオイル経路１４の温度センサ２０５の設定値で制御できるようにしている。
【００８９】
そして、空気圧縮機１０に戻る潤滑油の温度は、温度センサ２０５の設定により、例えばオイルセパレーター１１内においてドレンを生じさせないための限度である５０℃を保つ事ができる。この設定値は５０℃に限定されず、適宜設定が可能である。
【００９０】
（５）圧縮空気と潤滑油で加温された不凍液は、熱回収媒体用熱交換器２５によって、熱回収媒体経路２４に供給された給水を加温することができ、温水を利用することが可能になる。なお、不凍液温度は出口側温度センサ２０１で監視しており、給湯不使用時は、熱中継媒体経路２６を通る不凍液の温度が上昇するので、規定の温度を超えたら、圧縮機ユニット１の単体運転を行うように制御する。なお、圧縮機ユニット１が停止した場合は、熱回収ユニット２も停止し、各電磁弁は後述する圧縮機ユニット１の単体運転モードに切り替わる。
【００９１】
本発明の熱回収システムＳ１によれば、エア経路１２及びオイル経路１４内の圧縮空気及び潤滑油と、熱回収媒体経路２４内の水との間に、熱中継媒体経路２６内の不凍液が介在しており、熱供給媒体である潤滑油から熱回収媒体である水へ接触等の直接的な影響を及ぼすことはない。
【００９２】
これにより、仮に、熱供給媒体経路であるオイル経路１４と熱中継媒体経路２６、或いはそれらが通るオイル用熱交換器２１に破損等の不具合が生じて、オイル経路１４から潤滑油が漏出したような場合でも、潤滑油は熱中継媒体経路２６までに止まり、熱回収媒体であり飲用等の生活用水とされ得る水に混入することを抑止でき、安全性を担保できる。
【００９３】
＜圧縮機ユニット１の単体運転＞
図２を参照する。
（１）空気圧縮機１０の電源を入れ、圧縮機ユニット１の運転を開始すると、連動して熱回収ユニット２のポンプ２７が運転を開始する。
【００９４】
圧縮機ユニット１の単体運転の場合には、エア経路１２の手動弁２１７がＣＬＯＳＥ、エア分岐経路２２の手動弁２１５、２１６がＯＰＥＮに設定される。オイル経路１４の温度調節弁１００がＯＰＥＮ、電磁弁１０１、１０２がＯＰＥＮ、オイル分岐経路２０の電磁弁２１０、手動弁２１１、２１２、電磁弁２１４がＣＬＯＳＥ、手動弁２１３がＣＬＯＳＥに設定される。
【００９５】
また、熱回収媒体経路２４の電磁弁２１８、２１９はＣＬＯＳＥ、電磁弁２２０はＯＰＥＮに設定される。なお、温度調節弁１００は潤滑油の温度が所定の温度（例えば７５℃）に達するとＯＰＥＮになる。
【００９６】
（２）空気圧縮機１０の運転により、潤滑油を含む所定の圧力の圧縮空気が生成され、この圧縮空気がオイルセパレーター１１へ送られる。そして、圧縮空気は、オイルセパレーター１１内において、空気分と潤滑油分に分離される。
【００９７】
（３）オイルセパレーター１１の気層から、潤滑油分が分離された空気分が、エア経路１２を通ってエア分岐経路２２に送られ、エア用熱交換器２３によって熱中継媒体経路２６を通る不凍液と熱交換をして、更に圧縮機ユニット１のアフタークーラー１３を通り、更に冷却されて外気へ放出される。
【００９８】
この圧縮機ユニット１の単体運転は、いわゆるスタンバイ運転であり、上記不凍液との熱交換を行うのは、熱回収ユニット２の停止時にも不凍液の温度が低下しすぎないようにして、熱回収ユニット２を再始動するときに熱回収媒体経路２４からの温水供給が早くできるようにするためである。
【００９９】
また、このスタンバイ運転時において、ポンプ２７を停止して不凍液の熱中継媒体経路２６における循環を停止するように設定することもできる。なお、本実施の形態では不凍液を循環させたままでも、出口側温度センサ２０４が流水を検知しない限り熱回収媒体用熱交換器２５は熱交換を行わないようにしてある。
【０１００】
（４）一方、オイルセパレーター１１で分離された潤滑油分は、圧縮機ユニット１の制御により、７５℃に達するとオイルセパレーター１１の下部の液層を出て、オイル経路１４を通り、オイルクーラー１５に送られ、冷却される。例えば５０℃に冷却された潤滑油は、オイル経路１４を通って空気圧縮機１０へ戻り、潤滑油として使用される。潤滑油は、上記したような経路で循環する。
【０１０１】
（５）圧縮空気で加温された不凍液は、熱回収媒体用熱交換器２５によって、熱回収媒体経路２４に供給された給水を加温することができ、温水を利用することが可能になる。
なお、仮に熱回収ユニット２の各熱交換器２１、２３、２５等が故障した場合、熱回収ユニット２を一時的に停止して圧縮機ユニット１の単体運転をすることにより、例えば工場において各種製造機械等を支障なく稼働させることができる。
【０１０２】
図３、図４を参照する。
本発明に係る熱回収システムの第２実施の形態である熱回収システムＳ２は、熱回収システムＳ１の圧縮機ユニット１とは異なるオイルフリー式の圧縮機ユニット１ａと、熱回収ユニット２とは異なる熱回収ユニット２ａを備えている。
【０１０３】
なお、熱回収システムＳ２において、熱回収システムＳ１と同様の部分は、図３、図４において熱回収システムＳ１の各部の符号と同じ符号を付して示し、構成の説明については、熱回収システムＳ１の説明を援用して説明を省略し、以下、異なる構成及び作用についてのみ説明する。
【０１０４】
熱回収システムＳ２では、エア経路１２ａとオイル経路１４ａ及びクーラント経路１７が、それぞれ独立して空気圧縮機１０ａから導出されており、オイルセパレーター１１を有していない。また、熱回収ユニット２ａには、オイル分岐経路２０とオイル用熱交換器２１を有していない。
【０１０５】
（作用）
（１）熱回収システムＳ２において、熱回収を行う場合は、圧縮機ユニット１ａと熱回収ユニット２ａを運転する。これにより、空気圧縮機１０ａから送られた圧縮空気は、エア分岐経路２２を通り、エア用熱交換器２３によって熱中継媒体経路２６を通る不凍液との間で熱交換して冷却され、更にアフタークーラー１３によって冷却され、外気へ放出される。
【０１０６】
（２）一方、空気圧縮機１０ａから送られた高温の潤滑油とクーラント（冷却液）は、オイル経路１４ａとクーラント経路１７を通って、クーラー１５ａでそれぞれ冷却される。なお、潤滑油については、例えば５０℃に冷却されて空気圧縮機１０ａに戻るようになっている。
【０１０７】
また、熱回収システムＳ２では、熱回収を行う目的で潤滑油が利用されることはなく、高温の圧縮空気からのみ、エア用熱交換器２３及び熱回収媒体用熱交換器２５を介し熱回収を行うようになっている。この圧縮空気には通常は油分が含まれないが、空気圧縮機１０ａの不具合等により、例えばエア経路１２ａ内の圧縮空気に油煙として混入する可能性がある。
【０１０８】
（３）仮に、このような不具合が起こった場合でも、熱回収システムＳ２によれば、エア経路１２ａ内の圧縮空気と、熱回収媒体経路２４内の水との間に、熱中継媒体経路２６内の不凍液が介在しており、熱供給媒体である圧縮空気から熱回収媒体である水へ接触等の直接的な影響を及ぼすことはない。
【０１０９】
これにより、熱供給媒体経路であるエア経路１２ａと熱中継媒体経路２６に破損等の不具合が生じて、エア経路１２ａから油煙が漏出したような場合でも、油煙は熱中継媒体経路２６までに止まり、熱回収媒体である水に混入することを抑止できる。
【０１１０】
（４）熱回収システムＳ２は、熱回収をしないときは、図４に示すように熱回収ユニット２ａを停止して、圧縮機ユニット１ａを単体で運転することができる。なお、その場合、熱回収システムＳ２をスタンバイ運転する際には、熱中継媒体経路２６の不凍液を循環させ、エア用熱交換器２３によって圧縮空気と不凍液との熱交換をして、不凍液の温度が下がらないようにするのは上記熱回収システムＳ１と同様である。
【０１１１】
なお、本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【０１１２】
Ｓ１  熱回収システム
１  圧縮機ユニット
１０  空気圧縮機
１１  セパレータータンク
１２  エア経路
１３  アフタークーラー
１４  オイル経路
１５  オイルクーラー
１６  ファン
２  熱回収ユニット
２０  オイル分岐経路
２１  オイル用熱交換器
２２  エア分岐経路
２３  エア用熱交換器
２４  熱回収媒体経路
２５  熱回収媒体用熱交換器
２６  熱中継媒体用経路
２７  ポンプ
１００  温度調節弁
１０１、１０２、２１０、２１４、２１８、２１９、２２０  電磁弁
２１１、２１２、２１３、２１５、２１６、２１７  手動弁
２１９ａ  流水感知装置
Ｓ２  熱回収システム
１ａ  圧縮機ユニット
１０ａ  空気圧縮機
１２ａ  エア経路
１４ａ  オイル経路
１５ａ  クーラー
１７  クーラント経路
２ａ  熱回収ユニット
【要約】
【課題】熱交換器に破損等の不具合が生じた場合でも、熱回収媒体にオイル等の熱供給媒体が混入することを抑止して、飲用等の生活用水とされ得る熱回収媒体の安全性を担保できる熱回収システムを提供する。
【解決手段】
熱回収システムＳ１は、空気圧縮機１０とエア経路１２、オイル経路１４を有する圧縮機ユニット１と、エア経路１２とオイル経路１４に対し接続されるエア分岐経路２２とオイル分岐経路２０、水が通る熱回収媒体経路２４、熱回収媒体経路２４とエア分岐経路２２、オイル分岐経路２０の間に設けてある不凍液が通る熱中継媒体経路２６、潤滑油と不凍液とで熱交換をするオイル用熱交換器２１、不凍液と水とで熱交換をする熱回収媒体用熱交換器２５を有する熱回収ユニット２と、熱回収ユニット２のオイル分岐経路２０と圧縮機ユニット１のオイル経路１４を切り替える電磁弁１０１、１０２、２１０、２１４を備える。
【選択図】図１【図１】
0006802589.tif 000002
【図２】
0006802589.tif 000003
【図３】
0006802589.tif 000004
【図４】
0006802589.tif 000005